(57)【要約】【課題】必要なクーポン等を容易に剥離し、かつ剥離したクーポン等の収集及び保管を可能にすることで、クーポン等が印刷されていた印刷物の穴あきを防ぎ、さらに剥離したクーポン等の紛失を防止する。【解決手段】冊子（１）を含む印刷物の表面か裏面のどちらか一方の面（３、４）の少なくとも一部に貼付面（５）を設けた。さらに、貼付面（５）から剥離可能に貼り付けられた貼付小片（８）を設けた。この貼付小片（８）の印刷面の裏側の貼付側面（１７）には、少なくとも数回にわたって貼付剥離可能な粘着層（１９）を塗布してある。この構成によれば、印刷物に穴を開けることなく、貼付小片（８）を容易に貼付面（５）から剥離することができる。また、この粘着層（１９）を備えた貼付小片（８）を貼付面（５）から剥離して、財布や手帳等の被貼付体に貼付しておくことによって、貼付小片（８）の収集や保管が可能となり、紛失を防ぐことができる。【選択図】　　　　　図２
2004017348.tif 000002
【特許請求の範囲】
【請求項１】
表面と裏面とを有し、当該表面又は当該裏面の少なくとも一方の面における少なくとも一部に設けられた貼付面と、
印刷可能面と当該印刷可能面の裏側の貼付側面とを有し、当該貼付側面の少なくとも一部に設けられた粘着層を介して当該貼付面に剥離可能に貼り付けられた貼付小片と、を備え、
当該粘着層を、当該貼付面から剥離した当該貼付小片を、被貼付体に繰り返して貼付剥離可能に構成してあり、
当該印刷可能面には、読者宛情報を印刷してある
ことを特徴とする印刷物。
【請求項２】
前記表面又は前記裏面の少なくとも一方の面を、貼付面のみにより構成してあり、
当該貼付面上には、切り込み線を介して並列する複数の貼付小片を貼り付けてある
ことを特徴とする請求項１に記載した印刷物。
【請求項３】
前記貼付小片の少なくとも一部は、クーポン若しくは割引券若しくは優待券として当該貼付小片の持参者が経済的特典を受け得る読者宛情報を前記印刷可能面に印刷してある
ことを特徴とする請求項１又は２に記載した印刷物。
【請求項４】
前記貼付小片の少なくとも一部は、料理の材料や調理方法を記したレシピを前記印刷可能面に印刷してある
ことを特徴とする請求項１又は２に記載した印刷物。
【請求項５】
前記貼付小片を剥離した後に露出する前記貼付面には、当該剥離した貼付小片が備える読者情報と同じ又は異なる読者情報を印刷してある
ことを特徴とする請求項１乃至４の何れかに記載した印刷物。
【請求項６】
前記貼付小片の少なくとも一部の前記印刷可能面には、筆記具により情報記入可能な情報記入部を設けてある
ことを特徴とする請求項１乃至５の何れかに記載した印刷物。
【請求項７】
複数の印刷物を含み、当該印刷物の少なくとも一部を、請求項１乃至６の何れかに記載した印刷物により構成してある
ことを特徴とする冊子。
【請求項８】
前記冊子は、新聞又は雑誌又はフリーペーパーである
ことを特徴とする請求項７に記載した冊子。
【発明の詳細な説明】
【０００１】
【発明の属する技術分野】
この発明は、印刷物及びそのような印刷物を含む冊子に関するものである。
【０００２】
【従来の技術】
新聞の折込チラシ、パンフレット、カタログ等の印刷物や、新聞、雑誌、書籍、フリーペーパー、タウン情報等と呼ばれる冊子が有償無償を問わず配布されている。ここでは、上記した印刷物や冊子、これらに類するものを「冊子」と総称して説明する。冊子の代表として、たとえば、その地域における見所、名所、旧跡のほか、食べ処、ショッピングエリア等を紹介するフリーペーパーなるものがある。フリーペーパーは、一般に広告収入だけで製作され無償で読者に配布されており、読者に種種雑多な情報を提供する。このフリーペーパーには、たとえば、ホテルやレストランの割引券（クーポン）のような印刷物を含むものが多い。その印刷物を持参すれば、所定のホテルやレストランで割引を受けられるようになっている。フリーペーパーの読者にすれば安くホテルに泊まったり食事を安上がりにしたりするための手段となり、他方、その印刷物に協賛するホテルやレストランにすれば客寄せの有効手段となる。
【０００３】
【発明が解決しようとする課題】
図９及び１０に示すのは、フリーペーパー１０１に含まれるクーポン１０３である。図９においてはそれぞれの正方形の領域がクーポン１０３であり、又は図１０においてはそれぞれの長方形の領域がクーポン１０３´である。また、隣り合うクーポン１０３同士の間には切取線１０５を設けてある。ここで、図９及び１０において実線で示す部分のクーポン１０３ａもしくは１０３ａ´を必要としたとき、図に示すようにカッターナイフ１０９やはさみ１１１により切り取るようになっている。同じ切り取る場合でも、端にあるクーポン１０３および１０３´であれば三方を切り取るだけで済むので、比較的簡単であるが、実線で示すような中ごろにあるクーポン１０３ａもしくは１０３ａ´の切り取りは、四方を切り取らなければならない分、なかなか面倒である。これに加え、図１１に示すように、クーポンを切り取ると、その部分に穴１１３が開き、クーポンが印刷されていた裏側面の記事１１５が読めなくなってしまう。
【０００４】
さらに、切り取った後のクーポンは、通常、財布のカード入れや札入れ若しくは衣類のポケット等に入れておいたりする。しかし、当該クーポンはそのほとんどが約２ｃｍ角四方の小さなものなので、財布のカード入れや札入れ若しくは衣類のポケットの中にいれたままだと、そのまま放置されて使い忘れてしまったり、お金や物の出し入れが頻繁に行われるうちに紛失してしまったりしやすい。他方、当該クーポンは、クーポンを受け取ったホテルやレストランにとっても、専用の箱に入れて保管するくらいの手立てしかなく、受け取った大量のクーポンを整理して、なおかつ来客情報として活用できる形で管理するには不便であった。そのため、客層や嗜好を正確に把握して将来の営業活動に役立てていくような形で、クーポンを活用していくことはできなかった。
【０００５】
そこで、本発明は、上記課題を解決するため、以下３点の条件を満たす印刷物とこれを含む冊子を提供することを目的とする。すなわち、第１に必要なクーポン等を容易に剥離して取り出すことができること、第２に剥離したクーポン等を紛失せずに必要な時に使用することができること、第３にクーポン等を受け取るホテルやレストランが、受け取った後の保管や整理がしやすいこと、である。
【０００６】
【課題を解決するための手段】
上述した課題を解決するために発明者は、まず、冊子に含まれる印刷物の表面か裏面の両方又はどちらか一方の面の少なくとも一部に貼付面を設けた。さらに、当該貼付面から容易に剥離することができるように貼り付けられた貼付小片を設けた。また、当該貼付小片には、印刷面の裏側の全部又は一部に少なくとも数回にわたって繰り返し貼ったり剥がしたりすることができる粘着層を設けた。そして、当該粘着層を備えた当該貼付小片を当該貼付面から剥離して、紙幣やノート若しくは手帳等の被貼付体に貼付して、収集したり整理したりすることができるようにした。その具体的な構成については、項を改めて説明する。なお、何れかの請求項に係る発明の説明において行う用語の定義等は、その性質上可能な範囲において他の請求項に係る発明の説明においても適用されるものとする。
【０００７】
（請求項１に記載した発明の特徴）
請求項１に記載した発明に係る印刷物は、表面と裏面とを有し、当該表面又は当該裏面の少なくとも一方の面における少なくとも一部に設けられた貼付面と、印刷可能面と当該印刷可能面の裏側の貼付側面とを有し、当該貼付側面の少なくとも一部に設けられた粘着層を介して当該貼付面に剥離可能に貼り付けられた貼付小片と、を備え、当該粘着層を、当該貼付面から剥離した当該貼付小片を、被貼付体に繰り返して貼付剥離可能に構成してあり、当該印刷可能面には、読者宛情報を印刷してあることを特徴とする。すなわち、当該粘着層とは、少なくとも数回にわたって貼付剥離できて、なおかつ物性が殆ど変化しない粘着材を塗布したものである。当該粘着層は、当該貼付側面の全面か、又は一部分に設けられていることを意味する。当該貼付面は、当該印刷物の表面裏面の両面か、又は、何れか一方の面に設けられており、かつ当該印刷物の全面か、又は一部分が当該貼付面であることを意味する。また、ここでいう当該被貼付体は、当該剥離した貼付小片を貼付して保管や収集若しくは持ち歩くことができるノートや手帳若しくは財布等の媒体のすべてを意味する。
【０００８】
（請求項１に記載した発明の作用効果）
請求項１の印刷物は、前記貼付小片の前記貼付側面を剥離可能な前記粘着層で設けてあることによって、貼付面から手等で容易に剥離することができ、しかも貼付剥離を少なくとも数回繰り返し行うことができる。さらに当該貼付小片を切り取った場合に生じる当該印刷物の穴あきを、貼付面の存在によって防ぐことができ、当該印刷物の当該剥離された貼付面又は裏側面に印刷された読者宛情報を欠かさず残しておくことができる。また、当該貼付面から剥離した当該貼付小片を、別途被貼付体に貼付しておけば収集もしくは保管に便利であり、必要な時に当該被貼付体から再度剥離して使用することができる。
【０００９】
（請求項２に記載した発明の特徴）
請求項２に記載した発明に係る印刷物は、前記表面又は前記裏面の少なくとも一方の面を、貼付面のみにより構成してあり、当該貼付面上には、切り込み線を介して並列する複数の貼付小片を貼り付けてあることを特徴とする。
【００１０】
（請求項２に記載した発明の作用効果）
請求項２の印刷物は、前記表面又は前記裏面の少なくとも一方の面全てに設けられた貼付面上に切り込み線を入れることによって、カッターナイフやはさみによる切り取りを行うことなく、当該切込み線を使って、並列する複数の貼付小片から一つの貼付小片だけを容易に剥離することができる。
【００１１】
（請求項３に記載した発明の特徴）
請求項３の印刷物は、前記貼付小片の少なくとも一部について、クーポン又は割引券又は優待券として当該貼付小片の持参者が経済的特典を受けることができる読者宛情報を、前記印刷可能面に印刷してあることを特徴とする。すなわち当該印刷物が有する全ての当該貼付小片の印刷可能面にクーポン等の経済的特典を受けることができる読者宛情報が印刷されているか、又は一部の当該貼付小片にのみ印刷されていることを意味する。
【００１２】
（請求項３に記載した発明の作用効果）
請求項３の印刷物の前記貼付小片には、クーポンや割引券又は優待券に関する読者宛情報が印刷可能面に印刷してあり、当該クーポン等に協賛する店舗等に持参することで、例えば、当該店舗等で扱う商品やサービスの割引を受ける、若しくは景品と交換してもらうなどの経済的特典を受けることができる。そのことによって、当該印刷物は、剥離が容易で前記被貼付体に繰り返し貼付剥離することが可能であるという前記貼付小片の特徴を、現実の経済活動に活かすことができる。
【００１３】
（請求項４に記載した発明の特徴）
請求項４の印刷物は、前記貼付小片の少なくとも一部に、料理の材料や調理方法を記したレシピを、前記印刷可能面に印刷してあることを特徴とする。すなわち当該印刷物が有する全ての当該貼付小片の印刷可能面にクーポン等の経済的特典を受けることができる読者宛情報が印刷されているか、又は一部の当該貼付小片にのみ印刷されていることを意味する。
【００１４】
（請求項４に記載した発明の作用効果）
請求項４の印刷物は、前記印刷可能面に料理の材料や調理方法を記したレシピを印刷することで、テレビや雑誌等で見て役立ちそうなレシピの情報を抜書きするなどして書き貯めたノート等に代えて、当該印刷物を活用することができる。なおかつ手書きでノート等に書き込んだりする手間を省くことができる。
【００１５】
（請求項５に記載した発明の特徴）
請求項５の印刷物は、前記貼付小片を剥離した後に露出する前記貼付面には、当該剥離した貼付小片が備える読者情報と同一の読者情報が印刷してある場合と、異なる読者情報が印刷してある場合と、があることを特徴とする。なお後者の場合、当該剥離された貼付面には、前記切り込み線によって区分けされた当該貼付小片の領域に対応する形で異なる読者情報が各々印刷されている場合だけでなく、当該切り込み線にとらわれず貼付面全体を用いて、１個若しくは複数の異なる読書情報を印刷する場合、又は、当該剥離された貼付面に何も印刷せず無地のまま台紙として用いる場合、があることを意味する。
【００１６】
（請求項５に記載した発明の作用効果）
請求項５の印刷物は、当該剥離した貼付小片に印刷された読者情報と、当該剥離された貼付面が備える読者情報とを同一にすることで、読者からはどの貼付小片を剥離したのかがよく分かるし、読者情報を掲載したホテルやレストラン等にとっては、当該貼付小片を剥離した後も広告効果を失わない。他方、当該剥離した貼付小片とは異なる種類の読者情報を当該剥離された貼付面に印刷することで、読者の新たな興味を喚起して、さらに別の当該貼付小片を剥離することを促すことになる。その結果、貼付小片の利用機会をより一層高めるとともに、当該剥離された貼付面に印刷された読者情報に対する読者の興味や注目度をも高めることができる。
【００１７】
（請求項６に記載した発明の特徴）
請求項６の印刷物は、前記貼付小片の少なくとも一部の前記印刷可能面には、筆記具により情報を記入することが可能な情報記入部を設けてあることを特徴とする。
【００１８】
（請求項６に記載した発明の作用効果）
請求項６の印刷物は、前記貼付小片を保管しておく際に、例えば、前記クーポンの場合、当該クーポンの提示による割引や景品交換等を行う店舗の場所や最寄駅、又は、当該クーポンの使用有効期間のなかで読者が実際に使用する予定の日時等を前記情報記入部に書き込んでおけば、当該クーポンをより効果的に管理することができる。若しくは、料理の材料や調理方法を示すレシピであれば、記載されている内容の他に料理中に自分で気付いた情報も記入しておくことで、より有効なレシピとして活用することができる。他方、当該貼付小片を受け取ったホテルやレストラン等は、当該貼付小片を受け取った日時や顧客の年齢若しくは性別等の情報を当該情報記入部に書き込むことによって、来客情報として活用することができる。
【００１９】
（請求項７に記載した発明の特徴）
請求項７の冊子は、複数の印刷物を含み、当該印刷物の少なくとも一部を、請求項１乃至６の何れかに記載した印刷物により構成してあることを特徴とする。
【００２０】
（請求項７に記載した発明の作用効果）
請求項７の冊子は、前記印刷物を複数含みこれを当該冊子として１冊にまとめることで、様々な対象に関心を持つ読者層をその関心事項ごとに区分することなく、一括して情報を提供することができる。また、読者自身の興味の対象も通常一つに限られるものではなく複数に及ぶのが普通であるし、様々な情報を目にすることで初めて興味が湧くこともあるので、当該冊子のかたちで印刷物がひとまとまりになっているほうが読者にとっても情報を収集するうえで便利である。
【００２１】
（請求項８に記載した発明の特徴）
請求項８の冊子は、新聞又は雑誌又はフリーペーパーであることを特徴とする。
【００２２】
（請求項８に記載した発明の作用効果）
請求項８の冊子は、新聞又は雑誌又はフリーペーパーという複数の異なる情報媒体から刊行されるが、個々の情報媒体によって想定される読者層が異なるため、それに応じて様々な種類の購読者の目に止まることになる。
【００２３】
【発明の実施の形態】
次に各図を参照しながら、本発明の実施の形態について説明する。図１は、冊子の代表例であるフリーペーパーの平面図である。図２は、図１に示すフリーペーパーの開いた状態を示す平面図である。図３は、図２に示すフリーペーパーの他のページを開いた状態を示す平面図である。図４は、貼付小片を剥がした状態を示す平面図である。図５は、貼付小片の使用状況を示す平面図である。図６は、フリーペーパーに差し込む印刷物を示す平面図である。図７及び図８は、貼付小片を整理した様子を示す平面図である。
【００２４】
図１中の符号１は、フリーペーパーを示している。フリーペーパーとは、一般に、広告収入だけで製作され読者に無料で配布される冊子のことをいう。フリーペーパーは、配布地域を細分化し限定していることが多いため、地域の小規模広告主を吸収してそこから広告収入をあげることができる。また、多くのフリーペーパー１は、主要駅から１０分若しくは１５分の圏内で移動できるエリアの情報を中心に、飲食店やエステサロン等の記事で構成されている。このようなフリーペーパー１は、地域情報に根ざした詳細なエリアマップを掲載して、駅から目的地までの道案内機能も併せ持っている。さらに消費の意欲を高めるためにクーポンを付けている。なお、フリーペーパー１は、複数の印刷物によって構成されており、当該印刷物の全てがクーポンであっても、又は、少なくとも一部のページがクーポンで、他の部分が記事広告で構成されていてもよい。
【００２５】
図２に基づいてフリーペーパー１の見開きのページについて説明する。フリーペーパー１の左右の両ページ３、４とも、貼付面５と複数の貼付小片（クーポン）８（８ａ・・８ｂ・・８ｃ、８ｄ、８ｅ）とからなる印刷物である。貼付面５上には複数の貼付小片（クーポン）８が切り込み線７を介して並べて貼り付けてある。本明細書においてクーポンとは、印刷広告資料を通じて顧客に配布され、顧客は協賛するホテルやレストラン等の店舗で買い物をして、精算時に提示すると割引を受けたり、景品と交換したりすることができる経済的特典の総称である。クーポン（貼付小片）８の形状は符号１１や１３に示すように大小様々であり、また符号１５に示すように、貼付面５上に切り込み線７で囲まれた四角形の領域の中に対角線上の切り込み線をもう１本入れて、もともとあった四角形状のクーポン（貼付小片）８をさらに二分したものであってもよい。このようにすると、四角形状のクーポン（貼付小片）８に比べて、同じ印刷面で２枚の読者情報を掲載することができる。クーポン（貼付小片）８の印刷面の裏側にある貼付側面１７の全面には、少なくとも２、３回は繰り返し貼付剥離することができる粘着層１９が設けられている。そしてクーポン（貼付小片）８は、粘着層１９を介して貼付面５に貼り付けられている。クーポン（貼付小片）８は、ページ３の表面を反り返らすことによって、切り込み線７に沿って角部が貼付面５からめくれあがるので、これを手等によってつまんで容易に貼付面５から剥離することができる。なお、粘着層１９は、貼付側面１７の裏側の一部のみに設けられていても構わない。しかしこの例では、多数枚の印刷物を冊子として１冊にまとめる必要上、粘着層１９が設けられていないクーポン（貼付小片）８の領域が存在すると、その部分が貼付面５に接地せずに浮き上がってしまいページがかさばるので、クーポン（貼付小片）８の貼付側面７の全面に粘着層１９を設けている。
【００２６】
また、図３に示すように、フリーペーパー１のページ３の表面２１と裏面２３との両方に貼付面５を設けて、各々の貼付面５に切り込み線７を介して複数のクーポン（貼付小片）８を貼り付けるようにすることも可能である。従来は、カッターナイフやはさみを使って、必要なクーポン（貼付小片）８をページ３から切り取っていたので、クーポン（貼付小片）８が印刷されている面の裏側面のページに穴が開くのを防ぐことはできなかった。しかし、貼付面５の存在によって穴あきを防ぐことができるようになると、同じく図３に示したように表面２１と裏面２３との両面に貼付面５を設けてクーポン（貼付小片）８を貼り付けることもできるし、従来通り、表面２１と裏面２３とのいずれか一方には、記事広告を掲載したり無地にしたりすることもできる。その結果、フリーペーパー１のページ３の表面２１と裏面２３とを編集していくうえでの選択の幅が、貼付面５が存在しない場合に比べて大いに広がることになる。
【００２７】
さらに、図４に示すように、フリーペーパー１の貼付面２６からクーポン２５のうちの幾つかを剥離した場合、同図（ａ）が示すように、フリーペーパー１のクーポン２５と貼付面２６との読者情報が同一であっても、同図（ｂ）が示すように、フリーペーパー１のクーポン２５と貼付面２６との読者情報が異なっていてもよい。（ａ）の場合、読者がクーポン２５のうち任意の１枚を剥離すると、剥離された貼付面２６に記載されている読者情報が剥離したクーポン２５と同一であるので、読者にとっては、どのクーポン２５を剥離したのかがよく分かるし、読者情報を掲載したホテルやレストラン等にとっては、クーポン２５を剥離した後も広告効果を失わない。（ｂ）の場合、読者がまず任意のクーポン２５を剥離すると、剥離された貼付面２６からは剥離したクーポン２５とは異なる読者情報があらわれる。すると、読者はさらに別のクーポン２５も剥離することで、剥離された貼付面２６の読者情報をより一層明らかにしたい欲求に駆られる。このように、読者は貼付面２６の読者情報を、はじめクーポン２５に覆われて目にすることができず、クーポン２５を剥離することではじめて目にすることができるため、ページ３及び４の表面に記事広告がそのまま普通に印刷された場合に比べて読者の興味や注目度が高められ、一層の広告効果を上げることができる。
【００２８】
次に、図５に基づいて、剥離した貼付小片２７の収集および保管の方法について説明する。クーポン（貼付小片）８には、図２に示したように印刷面の裏側にある貼付側面１７に、少なくとも数回にわたって繰り返し貼付剥離することができる粘着層１９が設けられている。この特徴を生かして、フリーペーパー１の貼付面５から剥離した貼付小片２７を、例えば、紙幣２９や折り畳式の財布３０の内側に貼付したり、さらには手帳３１の見開きページに貼付したりして、保管や収集をしておくことができる。こうしておけば、切り取った貼付小片２７を財布のカード入れや札入れ若しくは衣類のポケットの中に入れて放置したまま忘れてしまったり、出し入れを幾度となく行っているうちに紛失してしまったりする危険を防ぐことができる。
【００２９】
なお、図６に示すように、貼付面５と、粘着層１９を介して貼付面５に貼り付けられたクーポン（貼付小片）８とからなる印刷物３２は、フリーペーパー１を構成する冊子の１ページとして綴じられていなくてもよく、想像線に示すように、フリーペーパー１のページとページとの間に差し込まれていてもよい。こうすることで、例えば、フリーペーパー１に差し込まれた、クーポン（貼付小片）８から成る印刷物３２を取り出して、フリーペーパー１中の関連する記事広告と照らし合わせながら、興味のあるクーポン（貼付小片）８を剥離して収集したり保管したりすることができる。
【００３０】
次に、図７に示すように、剥離した貼付小片２７を収集若しくは保管しつつ、これを３３に示すようなクーポン週間整理表に従って管理することもできる。クーポン週間整理表３３は、任意の月の任意の週における、各曜日ごとの使用予定クーポン３５を貼付し管理することができるように各ページが構成されており、○月第○週目という表題３７と、月曜日から日曜日までの１週間の曜日欄３９と、各曜日ごとのクーポン貼付欄４１と合計枚数欄４３とで作られている。また、貼付欄４１は、各曜日ごとに最大６枚の使用予定クーポン３５を貼付することができるように設けられているが、これは任意に欄の数を多くしても少なくしてもよい。消費者は、クーポン週間整理表３３を週の始まりにチェックすることによって、その週の購買計画を立てることができる。また、情報記入部５１に、例えば、クーポン３５に記された各種経済特典を提供する店舗の場所や最寄駅を、若しくは当該特典が全品割引の場合に購入する予定の商品を、書き込んでおけば、クーポン３５をより計画的に使用することができる。
【００３１】
他方、クーポン３５を来客者から提示されるホテルやレストラン等は、受け取ったクーポン３５を各曜日ごとのクーポン貼付欄４１に貼ることによって、１週間で来客者がどれだけクーポン３５を使用したかの総使用枚数を把握したり、曜日間でのクーポン３５の使用合計枚数の比較を行ったりして、受け取ったクーポン３５の整理や来客者数の動向を把握することが可能となる。具体的に見てみると、例えば符号３７に示すように、５月第１週目のクーポン３５の受け取り枚数について、月曜日の貼付枚数３５ａは３枚であった。以下、火曜日３５ｂは１枚、水曜日３５ｃも１枚、木曜日３５ｄは３枚、金曜日３５ｅは５枚、土曜日３５ｆは３枚、日曜日３５ｇは１枚だった。この結果から平日の週の終わりには、他の日に比べて多くの来客者がクーポンを使う傾向があるということを一目で見て取ることができる。
【００３２】
さらに、クーポン３５を受け取ったホテルやレストラン等が、クーポン３５を受け取った日時や顧客の年齢若しくは性別等の情報を情報記入部５１に書き込んだり、若しくは、クーポン３５に印刷してあるバーコード５７を直接レジスターのスキャナーで読み取って、そのデータを本社のホストコンピューターに送信したりして、様々な情報を効率的に管理することができる。その結果、売上管理や在庫管理をしたり、又は地域や時間若しくは季節などによる売れ筋商品の予測を立てたりする材料として活用したりすることができる。
【００３３】
また、図８に示すように、貼付小片の印刷可能面には、クーポン（貼付小片）８のような経済的特典だけに限られず、例えば、符号４７に示すような料理用レシピが印刷されていてもよい。この料理用レシピ４７を冊子から剥離して、例えば大学ノート４５に貼付しておき、さらに、このような料理用レシピ４７を幾つも同じ大学ノート４５に貼付し蓄積していけば、いちいちメモを取るような手間が省け、自分専用のレシピ集を作成することができる。また、情報記入部５５を利用することで、料理をする際に、例えば加熱時間や調味料の投入量等、料理中に自分で気付いた情報を書き添えておくことができる。なお、印刷物とは、各種経済的特典やバーコード又は料理用レシピ等の読者宛情報を貼付小片の印刷可能面に印刷したものの総称をいう。
【００３４】
【発明の効果】
本発明によれば、必要なクーポン等を印刷物又は冊子から容易に剥離して取り出すことができ、かつ当該剥離したクーポン等を紛失せずに必要な時に使用することができ、他方で、当該クーポン等を受け取ったホテルやレストラン等は、受け取った後の管理や整理をすることができる、印刷物とこれを含む冊子を提供することができる。
【図面の簡単な説明】
【図１】冊子の代表例であるフリーペーパーの平面図である。
【図２】図１に示すフリーペーパーの開いた状態を示す平面図である。
【図３】図２に示すフリーペーパーの他のページを開いた状態を示す平面図である。
【図４】貼付小片を剥がした状態を示す平面図である。
【図５】貼付小片の使用状況を示す平面図である。
【図６】フリーペーパーに差し込む印刷物を示す平面図である。
【図７】貼付小片の一例であるクーポンの週間整理表の図である。
【図８】貼付小片の一例であるレシピを大学ノートに貼付した図である。
【図９】冊子のページから貼付小片をカッターで切り取る従来例の図である。
【図１０】冊子のページから貼付小片をはさみで切り取る従来例の図である。
【図１１】図９及び図１０で示した冊子のページから貼付小片を切り取った後にめくれかかったページに穴が空いていることを示す図である。
【符号の説明】
１　　　フリーペーパー
３　　　見開き図
４　　　見開き図
５　　　貼付面
７　　　切り込み線
８　　　貼付小片
１１　　　クーポン
１３　　　クーポン
１５　　　クーポン
１７　　　貼付側面
１９　　　粘着層
２１　　　表面
２３　　　裏面
２５　　　剥離した貼付小片
２６　　　剥離された貼付側面
２７　　　剥離した貼付小片
２９　　　紙幣
３０　　　財布
３１　　　手帳
３２　　　差し込まれた印刷物
３３　　　クーポン週間整理表
３５　　　回収したクーポン
３７　　　任意月任意週
３９　　　曜日欄
４１　　　貼付欄
４３　　　枚数合計欄
４５　　　大学ノート
４７　　　料理用レシピ
５１　　　情報記入部
５５　　　情報記入部
５７　　　バーコード
１０１　　　フリーペーパー
１０３　　　クーポン
１０３ａ　　実線クーポン
１０５　　　切取り線
１０９　　　カッターナイフ
１１１　　　はさみ
１１３　　　穴空き部分
１１５　　　裏側面記事
【図１】
2004017348.tif 000003
【図２】
2004017348.tif 000004
【図３】
2004017348.tif 000005
【図４】
2004017348.tif 000006
【図５】
2004017348.tif 000007
【図６】
2004017348.tif 000008
【図７】
2004017348.tif 000009
【図８】
2004017348.tif 000010
【図９】
2004017348.tif 000011
【図１０】
2004017348.tif 000012
【図１１】
2004017348.tif 000013